(57)【要約】【課題】便座装置を便器に対して着脱でき、かつその取り付け強度を向上させてズレ防止をはかったトイレ装置を提供することを目的としている。【解決手段】便座装置１２を便器１１に対して着脱自在に取り付ける固定板１３の便器１１への取り付けは、固定板１３に設けた位置調整孔１６および便器１１の固定孔１１ｂを通したボルト１４とこれに施したナット１５により締結するとともに、固定板１３と便器１１の接触面間には両者のズレ防止手段１７を装備したものである。これにより、便座装置１２が固定板１３を介して便器１１にワンタッチ操作で着脱でき、かつズレ防止手段１７により固定板１３の便器１１への取り付け強度が大幅に向上し、便座装置１２の便器１１への着脱時に外力が加わっても、便座装置１２の便器１１への取り付け位置がズレることがない。【選択図】  図１
2004283214.tif 000002
【特許請求の範囲】
【請求項１】
本体とこの本体に起倒自在に軸支された便座および便ふたを有する便座装置と、この便座装置を取り付ける便器と、この便器に取り付けられ前記便座装置を便器に対して着脱自在に取り付ける固定板とを備え、前記便器への固定板の取り付けは、固定板に設けた位置調整孔および便器の固定孔を通したボルトとこれに施したナットにより締結するとともに、固定板と便器の接触面間には両者のズレ防止手段を装備したトイレ装置。
【請求項２】
ズレ防止手段は、歯付座金とパッキンを有する請求項１に記載のトイレ装置。
【請求項３】
ズレ防止手段は、少なくとも固定板の位置調整孔の便器側に位置する平パッキンと、この平パッキンと接触するフランジおよび便器の固定孔に挿入されボルトを保持する保持部を有するフランジ付きパッキンとを有する請求項１に記載のトイレ装置。
【請求項４】
ズレ防止手段は、平パッキンに代えて歯付座金を用いた請求項３に記載のトイレ装置。
【請求項５】
歯付座金とパッキンとを一体成形した請求項２または４に記載のトイレ装置。
【請求項６】
便器の固定孔を通したボルトと、フランジ付きパッキンの保持部との対応部のいずれか一方に膨出部を形成した請求項３〜５のいずれか１項に記載のトイレ装置。
【請求項７】
便器の固定孔を通したボルトと、フランジ付きパッキンの保持部とをネジ結合した請求項３〜６のいずれか１項に記載のトイレ装置。
【発明の詳細な説明】
【０００１】
【発明の属する技術分野】
本発明は、便器に温水洗浄便座などの便座装置を着脱自在に取付けるトイレ装置に関するものである。
【０００２】
【従来の技術】
従来、便器に対して、便座装置をワンタッチ操作で着脱することができるように構成し、清掃性を格段に向上させたものが提案されている（例えば、特許文献１参照）。
【０００３】
【特許文献１】
特開２０００−１１６５７０号公報
【０００４】
【発明が解決しようとする課題】
しかしながら、ワンタッチ操作で便座装置が着脱できるため、便座装置の着脱機会が多くなり、そのため外力により便座装置の便器への取り付け位置がズレやすくなる課題がある。近年、便器の清掃性向上から表面に防汚処理が施された便器が多くなりつつあるので、便座装置と便器がより滑りやすくなり、ズレの課題はより多くなる傾向にある。
【０００５】
本発明は、前記従来の課題を解決するもので、便座装置を便器に対してワンタッチ操作で着脱することができ、かつその取り付け強度を大幅に向上させズレ防止をはかったトイレ装置を提供することを目的としている。
【０００６】
【課題を解決するための手段】
前記目的を達成するために、本発明のトイレ装置は、便座装置を便器に対して着脱自在に取り付ける固定板の便器への取り付けは、固定板に設けた位置調整孔および便器の固定孔を通したボルトとこれに施したナットにより締結するとともに、固定板と便器の接触面間には両者のズレ防止手段を装備したものである。
【０００７】
これにより、便座装置が固定板を介して便器にワンタッチ操作で着脱でき、かつズレ防止手段により固定板の便器への取り付け強度が大幅に向上し、便座装置の便器への着脱時に外力が加わっても、便座装置の便器への取り付け位置がズレることがない。
【０００８】
【発明の実施の形態】
請求項１に記載の発明は、本体とこの本体に起倒自在に軸支された便座および便ふたを有する便座装置と、この便座装置を取り付ける便器と、この便器に取り付けられ前記便座装置を便器に対して着脱自在に取り付ける固定板とを備え、前記便器への固定板の取り付けは、固定板に設けた位置調整孔および便器の固定孔を通したボルトとこれに施したナットにより締結するとともに、固定板と便器の接触面間には両者のズレ防止手段を装備したトイレ装置とすることにより、便座装置が固定板を介して便器にワンタッチ操作で着脱でき、かつズレ防止手段により固定板の便器への取り付け強度が大幅に向上し、便座装置の便器への着脱時に外力が加わっても、便座装置の便器への取り付け位置がズレることがない。
【０００９】
請求項２に記載の発明は、ズレ防止手段は、歯付座金とパッキンを有する請求項１に記載のトイレ装置とすることにより、歯付座金の歯が固定板とパッキンの双方に食い込むため、固定板とパッキン間、パッキンと便器間の滑りがなくなり、固定板の固定強度が大幅に向上し、便座装置の便器への取り付け位置がズレることがない。
【００１０】
請求項３に記載の発明は、ズレ防止手段は、少なくとも固定板の位置調整孔の便器側に位置する平パッキンと、この平パッキンと接触するフランジおよび便器の固定孔に挿入されボルトを保持する保持部を有するフランジ付きパッキンとを有する請求項１に記載のトイレ装置とすることにより、平パッキンの固定板に対する接触面積とフランジ付パッキンのフランジとの接触面積が増加することにより摩擦力が向上し、また、フランジ付パッキンのフランジと便器間にも摩擦力が発生し回転方向の滑りがないため、固定板の固定強度が大幅に向上する。さらに、フランジ付きパッキンの保持部の作用により、ボルトが便器の固定孔内で遊ぶ隙間がなくなるため、外力よって誘発されるズレのきっかけとなるボルトのねじれ現象がなくなり、結果的に便座装置の回転方向のズレを防止できる。
【００１１】
請求項４に記載の発明は、ズレ防止手段は、平パッキンに代えて歯付座金を用いた請求項３に記載のトイレ装置とすることにより、歯付座金の歯が固定板とフランジ付パッキンのフランジの双方に食い込むため、固定板とフランジ付パッキン間、フランジ付パッキンと便器間の滑りがなくなり、固定板の固定強度が大幅に向上し、便座装置の便器への取り付け位置がズレることがない。
【００１２】
請求項５に記載の発明は、歯付座金とパッキンとを一体成形した請求項２または４に記載のトイレ装置とすることにより、歯付座金とパッキンが一つの部材として扱えるとともに、歯付座金とパッキンの滑りが皆無となり、便座装置の便器への取り付け位置がズレることがない。
【００１３】
請求項６に記載の発明は、便器の固定孔を通したボルトと、フランジ付きパッキンの保持部との対応部のいずれか一方に膨出部を形成した請求項３〜５のいずれか１項に記載のトイレ装置とすることにより、膨出部の作用でボルトが便器の固定孔に強固に圧接され、ボルトと固定孔との隙間がなくなり、外力よって誘発されるボルトのねじれ現象による便座装置の回転方向のズレが防止できる。
【００１４】
請求項７に記載の発明は、便器の固定孔を通したボルトと、フランジ付きパッキンの保持部とをネジ結合した請求項３〜６のいずれか１項に記載のトイレ装置とすることにより、ボルトとフランジ付きパッキンが一体化され、固定板の便器への取り付けが強固に行え、便座装置の便器への着脱時に外力が加わっても、便座装置の便器への取り付け位置がズレることがない。
【００１５】
【実施例】
以下、本発明の実施例におけるトイレ装置について、図面を参照して説明する。
【００１６】
（実施例１）
図１〜図４は本発明の実施例１におけるトイレ装置を示すものである。
【００１７】
図において、１１は便座装置１２を取り付ける便器である。便座装置１２は、制御装置や洗浄装置も含む各種手段を内装した本体１０と、この本体１０に起倒自在に軸支された便座６および便ふた７を有する。１３は前記便座装置１２を便器１１に対してワンタッチ操作で着脱自在に取り付ける固定板で、便器１１の後部上面１１ａに設置され、便器１１の固定孔１１ｂを通したボルト１４とこれに施したナット１５、および固定孔下側入口１１ｃのパッキン１８を介して締結され便器１１に取り付け固定されている。
【００１８】
固定板１３は、図２に示すように、便器１１の左右中心軸に対して、両側位置に前後方向に長い位置調整孔１６を有し、この位置調整孔１６にボルト１４が挿入され、ナット１５による締結によりボルト頭１４ａで位置調整孔１６の上縁が押さえ込まれて便器１１に固定されるものである。固定板１３の固定位置は、位置調整孔１６とボルト１４の締結位置の調整により、前後方向に自由に位置調整できるものである。また、固定板１３には、前後方向に係止片１３ａが平行して形成されており、便座装置１２をワンタッチ操作で着脱自在に係止するようにしている。
【００１９】
便座装置１２は、図３に示すように、本体１０の固定板１３と対応する裏面８位置に、固定板１３と嵌合する凹部９を設け、ここに固定板１３により係止される係合部材１０ａを取り付けている。係合部材１０ａには係止片１３ａにより係止される係合片１０ｂが平行して形成されており、本体１０の両サイドを持ち上げて、便器１１に対して引くあるいはその逆操作することにより、係合部材１０ａの係合片１０ｂを固定板１３の係止片１３ａにワンタッチ操作で係止することができ、逆操作で取り外すことができるものである。すなわち、便座装置１２は便器１１に対して着脱できるようになっている。なお、係合部材１０ａと固定板１３間には、位置決め手段、あるいは安易な外れ防止手段などの実使用に即した各種手段が施されているが説明は省略する。
【００２０】
そして、固定板１３と便器１１の接触面間には両者のズレ防止手段１７を装備しており、固定板１３の便器１１への取り付け強度を大幅に向上させ、便座装置１２の便器１１への着脱時に外力が加わっても、便座装置１２の便器１１への取り付け位置がズレることがないようにしている。
【００２１】
本実施例では、図４に示すように、ボルト１４には、金属製の歯付座金１９と、ゴム弾性を有するパッキン２０を予め挿入しておき、固定板１３の位置調整孔１６の上部にボルト頭１４ａが載るように固定板１３の後方から前に向けて挿入する。このとき、歯付座金１９とパッキン２０は固定板１３の裏部１３ｃに位置するようにする。ここで、ナット１５を締め付けると、ボルト頭１４ａとナット１５の間で固定板１３が便器１１に締結固定される。これにより、歯付座金１９の歯が固定板１３の裏部１３ｃとゴム弾性を有するパッキン２０の双方に食い込むため、固定板１３とパッキン２０間、パッキン２０と便器１１間の滑りがなくなり、固定強度が大幅に向上する。固定板１３とパッキン２０、また、パッキン２０と便器１１間に回転方向の滑りが発生しないため、結果的に便座装置１２の取り付け位置のズレが生じにくくなるのである。
【００２２】
なお、図２に示すように、位置調整孔１６の周縁部上面には、滑り止め用凹凸部１３ｂが形成されるとともに、図４に示すように、ボルト頭１４ａの下面にも滑り止め用凹凸部１４ｂが形成され、固定板１３を調整位置で確実に固定して不測に移動することがないように配慮されているものである。
【００２３】
このように、本実施例では、便座装置１２が固定板１３を介して便器１１にワンタッチ操作で着脱でき、かつズレ防止手段１７により固定板１３の便器１１への取り付け強度が大幅に向上し、便座装置１２の便器１１への着脱時に外力が加わっても、便座装置１２の便器１１への取り付け位置がズレることがない。
【００２４】
（実施例２）
次に、本発明の実施例２におけるトイレ装置について、図５〜図７により説明する。基本的には実施例１と同様であるので、相違点についてのみ説明する。
【００２５】
本実施例におけるズレ防止手段１７は、少なくとも固定板１３の位置調整孔１６の便器１１側に位置する平パッキン２１と、この平パッキン２１と接触するフランジ２４ａおよび便器１１の固定孔１１ｂに挿入されボルト１４を保持する保持部２４ｂを有するフランジ付きパッキン２４とを有するものである。
【００２６】
前記平パッキン２１とは別に、平パッキン２１ａが裏部近傍１３ｄにも接着や貼り付けまたは成形などにより一体に設けて構成してある。なお、平パッキン２１、２１ａは、便器１１との接触面積を増加させることと、便器１１の後部上面１１ａの凹凸を吸収するために、固定板１３の裏面１３ｃと同面にするか僅かに突出するぐらいの厚さするのが望ましい。また、図７に示すように、この実施例では、ボルト頭１４ａと固定板１３間にも、平パッキン２１を設けている。
【００２７】
また、フランジ付きパッキン２４は、中央にボルト挿通孔２３を有し、固定孔１１ｂに挿入される保持部２４ｂは、略逆円錐形状として固定孔１１ｂに挿入され易いようにしている。
【００２８】
このように、本実施例では、平パッキン２１の固定板１３に対する接触面積とフランジ付パッキン２４のフランジ２４ａとの接触面積が増加することにより摩擦力が向上し、また、フランジ付パッキン２４のフランジ２４ａと便器１１間にも摩擦力が発生し回転方向の滑りがないため、固定板１３の固定強度が大幅に向上する。さらに、フランジ付きパッキン２４の保持部２４ｂは若干窮屈気味に固定孔１１ｂに挿入されており、ボルト１４が便器１１の固定孔１１ｂ内で遊ぶ隙間がなくなるため、外力よって誘発されるズレのきっかけとなるボルト１４のねじれ現象がなくなり、結果的に便座装置１２の回転方向のズレを防止できる。
【００２９】
なお、本実施例における平パッキン２１に代えて、実施例１における歯付座金１９を用いることができるものである。この場合、固定板１３の固定時には、歯付座金１９の歯が固定板１３とフランジ付パッキン２４のフランジ２４ａの双方に食い込むことになるため、固定板１３とフランジ付パッキン２４間、フランジ付パッキン２４と便器１１間の滑りがなくなり、固定板１３の固定強度が大幅に向上し、平パッキン２１を用いた場合と同様、便座装置１２の便器１１への取り付け位置がズレることがない。
【００３０】
（実施例３）
次に、本発明の実施例３におけるトイレ装置について図８により説明する。基本的には実施例１、２と同様であるので、相違点についてのみ説明する。
【００３１】
本実施例におけるズレ防止手段１７は、歯付座金１９とパッキン２８とを一体成形したものである。なお、歯付座金１９とパッキン２８との一体成形時には、歯付座金１９の歯１９ａがパッキン２８の面より突出するようにして一体化しているものである。また、歯付座金１９はパッキン２８に代えてパッキン２０あるいはフランジ付パッキン２４と一体成形してもよい。
【００３２】
このように、本実施例では、歯付座金１９とパッキンが一つの部材として扱えるとともに、歯付座金１９とパッキンの滑りが皆無となり、便座装置１２の便器１１への取り付け位置がズレることがない。
【００３３】
（実施例４）
次に、本発明の実施例４におけるトイレ装置について図９により説明する。基本的には実施例２、３と同様であるので、相違点についてのみ説明する。
【００３４】
本実施例におけるズレ防止手段１７は、便器１１の固定孔１１ａを通したボルト１４と、フランジ付きパッキン２４の保持部２４ｂとの対応部のいずれか一方に膨出部２９を形成したものである。この実施例では、ボルト１４の一部に保持部２４ｂ側に向かって膨出部２９を形成したが、ボルト１４は他の実施例と同様、ストレートなものとし、保持部２４ｂ側にボルト１４側に向かって膨出部２９を形成するようにしてもよい。
【００３５】
このように、本実施例では、膨出部２９の作用でボルト１４が便器１１の固定孔１１ａに強固に圧接され、ボルト１４と固定孔１１ａとの隙間がなくなり、外力よって誘発されるボルト１４のねじれ現象による便座装置１２の回転方向のズレが防止できる。
【００３６】
（実施例５）
次に、本発明の実施例５におけるトイレ装置について図１０により説明する。基本的には実施例２〜４と同様であるので、相違点についてのみ説明する。
【００３７】
本実施例におけるズレ防止手段１７は、便器１１の固定孔１１ａを通したボルト１４と、フランジ付きパッキン２４の保持部２４ｂとをネジ結合したものである。すなわち、ボルト１４に雄ねじ３２を、保持部２４ｂのボルト挿通孔２３に雌ねじ３１を形成し、ボルト１４とフランジ付きパッキン２４を一体化しているものである。
【００３８】
このように、本実施例では、ボルト１４とフランジ付きパッキン２４がネジ結合で一体化されているため、固定板１３の便器１１への取り付けが強固に行え、便座装置１２の便器１１への着脱時に外力が加わっても、便座装置１２の便器１１への取り付け位置がズレることがない。なお、フランジ付パッキン２４の雌ねじ３１は、樹脂や金属による別部材で一体に構成すれば、さらにネジ結合の強度が増し高いズレ防止効果が得られる。
【００３９】
【発明の効果】
このように、本発明のトイレ装置によれば、便座装置を便器に対して着脱自在に取り付ける固定板の便器への取り付けは、固定板に設けた位置調整孔および便器の固定孔を通したボルトとこれに施したナットにより締結するとともに、固定板と便器の接触面間には両者のズレ防止手段を装備したものでり、便座装置が固定板を介して便器にワンタッチ操作で着脱でき、かつズレ防止手段により固定板の便器への取り付け強度が大幅に向上し、便座装置の便器への着脱時に外力が加わっても、便座装置の便器への取り付け位置がズレることがない。
【図面の簡単な説明】
【図１】本発明の実施例１におけるトイレ装置を示す分解斜視図
【図２】同トイレ装置における固定板の斜視図
【図３】同トイレ装置における便座装置の裏面を示す斜視図
【図４】同トイレ装置の要部半断面図
【図５】本発明の実施例２におけるトイレ装置を示す分解斜視図
【図６】同トイレ装置における固定板の裏面を示す斜視図
【図７】同トイレ装置の要部半断面図
【図８】本発明の実施例３におけるトイレ装置を示す要部半断面図
【図９】本発明の実施例４におけるトイレ装置を示す要部半断面図
【図１０】本発明の実施例５におけるトイレ装置を示す要部半断面図
【符号の説明】
６  便座
７  便ふた
１０  本体
１０ａ  係合部材
１１  便器
１１ａ  固定孔
１２  便座装置
１３  固定板
１４  ボルト
１５  ナット
１６  位置調整孔
１７  ズレ防止手段
１９  歯付座金
２１  平パッキン
２４  フランジ付パッキン
２４ａ  フランジ
２４ｂ  保持部
２８  パッキン
２９  膨出部
【図１】
2004283214.tif 000003
【図２】
2004283214.tif 000004
【図３】
2004283214.tif 000005
【図４】
2004283214.tif 000006
【図５】
2004283214.tif 000007
【図６】
2004283214.tif 000008
【図７】
2004283214.tif 000009
【図８】
2004283214.tif 000010
【図９】
2004283214.tif 000011
【図１０】
2004283214.tif 000012